(57)【要約】【課題】第１サブユニットおよび第２サブユニットを並べてなる構成であって、輝度むらを抑制した発光ユニットを提供する。【解決手段】発光ユニット１０は、基板１１と第１線状光源１２ａおよび第２線状光源１２ｂとをそれぞれ備えた第１サブユニット１３ａおよび第２サブユニット１３ｂが、第１サブユニット１３ａの一端と第２サブユニット１３ｂの一端とをつき合わせた状態で並べられてなる。第１サブユニット１３ａの基板の一端縁は、外方へより多く連出された突出部１１ａを有する。第２サブユニット１３ｂの基板１１の第１サブユニット１３ａにつき合わせられる一端縁は、突出部１１ａに並び、且つ、突出部１１ａの連出長に相当する長さ分、内方へ退避した収納部１１ｂを有する。また、第１サブユニット１３ａの基板１１の突出部１１ａ上に、第１線状光源１２ａが配置されている。【選択図】図１
2014110083.tif 000002
【特許請求の範囲】
【請求項１】
基板と複数の発光素子が線状に並んだ線状光源をそれぞれ少なくとも２本以上備えた第１サブユニットおよび第２サブユニットが、当該第１サブユニットの一端と当該第２サブユニットの一端とをつき合わせた状態で並べられた発光ユニットであって、
前記第１サブユニットの基板の一端縁は、外方へより多く連出された第１部位と、内方へより多く退避した第２部位とを有し、
前記第２サブユニットの基板の前記第１サブユニットにつき合わせられる一端縁は、前記第１部位に並び、且つ、当該第１部位の連出長に相当する長さ分、内方へ退避した第３部位と、前記第２部位に並び、且つ、当該第２部位の退避長に相当する長さ分、外方へ連出した第４部位とを有し、
前記第１サブユニットの基板の第１部位上に、前記少なくとも２本以上の線状光源のうち少なくとも１本の線状光源が配置されている、
ことを特徴とする発光ユニット。
【請求項２】
前記第１部位および第４部位は、凸形状であり、
前記第１サブユニットと第２サブユニットとをつき合わせた部分では、前記第１部位が前記第３部位に収まり、且つ、前記第４部位が前記第２部位に収まり、
前記少なくとも２本以上の線状光源は、前記並び方向に沿って配置されている、
ことを特徴とする請求項１に記載の発光ユニット。
【請求項３】
前記第１サブユニットおよび第２サブユニットにおける基板を平面視すると、
前記第３部位の面積は、前記第１部位の面積よりも大きく、
前記第２部位の面積は、前記第４部位の面積よりも大きい、
ことを特徴とする請求項２に記載の発光ユニット。
【請求項４】
前記第１サブユニットおよび第２サブユニットにおける基板を平面視すると、
前記第３部位の面積は、前記第１部位の面積と同じであり、
前記第２部位の面積は、前記第４部位の面積と同じである、
ことを特徴とする請求項２に記載の発光ユニット。
【請求項５】
前記第１サブユニットおよび第２サブユニットにおける基板を平面視すると、
前記第１サブユニットの基板の形状および面積は、前記第２サブユニットの基板の形状および面積とそれぞれ同じである、
ことを特徴とする請求項２に記載の発光ユニット。
【請求項６】
請求項２に記載の発光ユニットの少なくとも一部を覆い、前記少なくとも２本以上の線状光源からの出射光を、前記基板に沿った方向では前記少なくとも２本以上の線状光源の延びる方向と直交する方向に拡散するレンズと、
前記レンズを覆うカバーと、
を備える、
ことを特徴とする照明器具。
【請求項７】
前記第１サブユニットの基板の第４部位上に、前記少なくとも２本以上の線状光源のうち少なくとも１本の線状光源が配置されている、
ことを特徴とする請求項１に記載の発光ユニット。
【請求項８】
前記第１サブユニットの基板の一端縁は、前記第１部位と前記第２部位が連なって形成されてなる、前記並び方向に対して斜め直線状の端縁であり、
前記第２サブユニットの基板の前記第１サブユニットにつき合わせられる一端縁は、前記第３部位と前記第４部位が連なって形成されてなる、前記第１サブユニットの基板の一端縁に対して平行な直線状の端縁であり、
前記第１サブユニットに配置された線状光源の前記一端縁側の端部から前記並び方向に直交する直線を引くと、当該直線は前記第２サブユニットの前記一端縁と交点を有する、
ことを特徴とする請求項１に記載の発光ユニット。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を光源として備える発光ユニットおよび当該発光ユニットを備えた照明器具に関し、特に、出射光の色むらを抑制する技術に関する。
【背景技術】
【０００２】
近年、ＬＥＤ（Ｌｉｇｈｔ  Ｅｍｉｔｔｉｎｇ  Ｄｉｏｄｅ）などの発光素子を光源として備えた発光ユニットを利用した照明器具が普及しつつある。一方、照明器具の大きさは用途によって様々であるため、様々な大きさの発光ユニットが求められている。そこで、大きな発光ユニットの構成として、基板と複数の発光素子を備えたサブユニットを複数並べてなる構成を採用することが考えられる。この構成であれば、小さな製造装置でサブユニットを製造した後、複数のサブユニットを組み立てて発光ユニットを製造できる。そのため、大きな製造装置を用いる必要が無く、製造が簡便である。
【０００３】
例えば、特許文献１では、４つのサブユニットを並べてなる発光ユニットを備えた照明器具が提案されている。図７に示すように、発光ユニット１０１０は、基板１０１１と線状光源１０１２ａ、１０１２ｂとを備えた４つのサブユニット１０１３をつき合わせて並べてなる。基板１０１１は、４分円弧状に形成されている。また、線状光源１０１２ａ、１０１２ｂは、発光素子１０１２が、並び方向に沿って２つの列状に配置されてなる。
【先行技術文献】
【特許文献】
【０００４】
【特許文献１】特開２０１２−１４６４４１号公報
【発明の概要】
【発明が解決しようとする課題】
【０００５】
ところで、上記従来の発光ユニットを備える照明器具において、線状光源からの出射光を発光ユニットの周囲に拡散する方法として、発光ユニットの光出射方向側にレンズを備える方法がある。当該レンズとしては、発光ユニットからの出射光に広がりを持たせる様々な形状のレンズが考えられる。その１つとして、例えば、線状光源に対向する部分を凸形状に盛り上げた形状のレンズがある。この形状のレンズを用いた場合、発光ユニットからの出射光は、基板と反対側の方向、且つ、線状光源及びレンズの延びる方向と直交方向に多く拡散するが、基板と反対側の方向、且つ、線状光源及びレンズの延びる方向には拡散しにくい。そのため、照明器具において、線状光源の並び方向に沿って発光素子が存在しない領域がある場合、線状光源からの出射光が拡散されにくく、暗くなってしまうことがある。
【０００６】
上記従来の発光ユニットでは、第１サブユニットおよび第２サブユニットをつき合わせた部分である接続部に、線状光源を位置させることが難しい。これは、第１サブユニットおよび第２サブユニットの基板の端縁において、絶縁距離を確保する必要があるためである。発光ユニットの接続部に線状光源が位置しないと、発光ユニットの他の部分と比べて接続部が暗くなってしまうことがある。すなわち、発光ユニットに、輝度むらが生じるおそれがある。
【０００７】
本発明は、上記した課題に鑑み、第１サブユニットおよび第２サブユニットを並べてなる構成であって、輝度むらを抑制した発光ユニットを提供することを目的とする。
【課題を解決するための手段】
【０００８】
上記目的を達成するために、本発明の一態様に係る発光ユニットは、基板と複数の発光素子が線状に並んだ線状光源をそれぞれ少なくとも２本以上備えた第１サブユニットおよび第２サブユニットが、当該第１サブユニットの一端と当該第２サブユニットの一端とをつき合わせた状態で並べられた発光ユニットであって、前記第１サブユニットの基板の一端縁は、外方へより多く連出された第１部位と、内方へより多く退避した第２部位とを有し、前記第２サブユニットの基板の前記第１サブユニットにつき合わせられる一端縁は、前記第１部位に並び、且つ、当該第１部位の連出長に相当する長さ分、内方へ退避した第３部位と、前記第２部位に並び、且つ、当該第２部位の退避長に相当する長さ分、外方へ連出した第４部位とを有し、前記第１サブユニットの基板の第１部位上に、前記少なくとも２本以上の線状光源のうち少なくとも１本の線状光源が配置されている、ことを特徴とする。
【発明の効果】
【０００９】
本発明の一態様に係る発光ユニットは、第１サブユニットの基板の第１部位が、第２サブユニットの基板の第３部位に収まる。また、第１サブユニットの基板の第１部位上に、線状光源が配置されている。これにより、第１部位上の線状光源からの出射光は、例えば、光の出射方向に設けられたレンズにより線状光源の延びる方向に直交し、且つ、基板と反対側の方向に拡散される。これにより、第１サブユニットおよび第２サブユニットをつき合わせた部分である接続部である発光ユニットの接続部において、暗くなってしまうことを抑制できる。そして、発光ユニットに輝度むらが生じることを抑制できる。
【００１０】
このように、本発明の一態様では、第１サブユニットおよび第２サブユニットを並べてなる構成であって、輝度むらを抑制した発光ユニットを提供できる。
【図面の簡単な説明】
【００１１】
【図１】実施の形態に係る発光ユニットを示す図であり、（ａ）は発光ユニットの全体を示す斜視図、（ｂ）は発光ユニットを構成するサブユニットを示す平面図である。
【図２】図１に示した発光ユニットを備えた照明器具の分解斜視図である。
【図３】図２に示した照明器具のうち、カバーを除いた照明器具の分解斜視図である。
【図４】図２に示した照明器具からの出射光について説明する図であって、（ａ）本発明を示し、（ｂ）比較例を示す。
【図５】変形例に係る発光ユニットの平面図である。
【図６】変形例に係る発光ユニットの平面図である。
【図７】従来例に係る発光ユニットの平面図である。
【発明を実施するための形態】
【００１２】
＜＜実施の形態＞＞
１．発光ユニットの構成
本発明の一態様に係る照明器具について、図面を参照しながら説明する。なお、各図面における部材の縮尺は実際のものとは異なる。また、数値範囲を示す際に用いる符号「〜」は、その両端の数値を含む。さらに、ここでは、発光素子としてＬＥＤ（Ｌｉｇｈｔ  Ｅｍｉｔｔｉｎｇ  Ｄｉｏｄｅ）を利用する形態について説明する。なお、図１、図２を含む全ての図において各部材間の縮尺は必ずしも統一されていない。
【００１３】
図１は、実施の形態に係る発光ユニットを示す図である。図１（ａ）は発光ユニットの全体を示す斜視図である。図１（ｂ）は、発光ユニットを構成するサブユニットを示す平面図である。以下、特に区別の必要が無いときには、第１サブユニット１３ａおよび第２サブユニット１３ｂを、まとめてサブユニット１３と呼ぶ。
（全体構成）
図１に示すように、発光ユニット１０は、４つの４分円弧状のサブユニット１３を円環状に組み合わせてなる。また、発光ユニット１０は、２つの第１サブユニット１３ａおよび２つの第２サブユニット１３ｂを、第１サブユニット１３ａの一端と第２サブユニット１３ｂの一端とをつき合わせて並べてなる。以下、サブユニット１３のつき合わさる部分を、発光ユニット１０の接続部１０ａと呼ぶ。
【００１４】
各サブユニット１３は、基板１１と、第１線状光源１２ａ、第２線状光源１２ｂ、および第３線状光源１２ｃとをそれぞれ備える。発光ユニット１０において、各サブユニット１３の形状および面積は等しい。そのため、発光ユニット１０を構成するサブユニット１３全部を、同じ１つの製造装置で連続して製造できる。
（基板）
基板１１は、平面視したとき円弧状となるよう形成された板であって、基板１１におけるサブユニット１３の並び方向（以下、端に「並び方向」という）の一端縁に、外方へより多く連出された突出部１１ａと、突出部１１ａを除く部分である内方へより多く退避した部分とを有する。また、基板１１は、並び方向の他端縁に内方へより多く退避した収納部１１ｂと、収納部１１ｂを除く部分である外方へより多く連出した部分とを有する。収納部１１ｂは、突出部１１ａの連出長に相当する長さ分、内方へ退避している。また、突出部１１ａは、収納部１１ｂの退避長に相当する長さ分、外方へ連出している。すなわち、収納部１１ｂは、突出部１１ａが収まるような形状である。さらに、接続部１０ａでは、突出部１１ａが収納部１１ｂに収まる。
【００１５】
基板１１は、例えば、セラミックスや熱伝導性樹脂のような絶縁性材料からなる。なお、基板１１は、例えば、アルミニウムのような導電性材料からなってもよい。基板１１を平面視すると、図１（ｂ）に示すように、収納部１１ｂの面積は突出部１１ａの面積よりも大きい。これにより、各接続部１０ａには、貫通孔１０ｂが形成されるため、発光ユニット１０は、接続部１０ａにおいて貫通孔１０ｂを合計４つ有する。貫通孔１０ｂを通して、例えば、発光ユニット１０を点灯させるための点灯回路からの配線を引き出すことができる。
（線状光源）
各基板１１上には、第１線状光源１２ａ、第２線状光源１２ｂ、および第３線状光源１２ｃが、前記並び方向に沿って配置されている。以下、第１線状光源１２ａ、第２線状光源１２ｂ、および第３線状光源１２ｃを区別の必要が無いときには、「線状光源１２」という。また、第１線状光源１２ａの一部が、突出部１１ａ上に位置している。
【００１６】
線状光源１２は、それぞれ複数のＬＥＤ１２ｄが並び方向に沿って配置されてなる。また、ＬＥＤ１２ｄは、それぞれの光出射方向を基板１１と反対側に向けて配置されている。また、ＬＥＤ１２ｄは、１つまたは複数の白色ＬＥＤチップと、蛍光体などからなる樹脂材料等とで構成されたＬＥＤパッケージである。ＬＥＤ１２ｄは、はんだ付け等の導電性を確保できる実装方法で、基板１１に実装されている。ＬＥＤ１２ｄの個数は、発光ユニット１０に求められる輝度に応じて決定すればよい。各線状光源１２を構成するＬＥＤ１２ｄは、配線パターンにより電気的に接続されている。
２．照明器具の構成
ところで、発光ユニット１０は、単独で使用することもあるが、照明器具に組み込んで使用することが一般的である。以下、発光ユニット１０を備えた照明器具として、シーリングライトを例示し、図２、３を用いて説明する。なお、本発明に係る照明器具は、シーリングライトに限定されない。例えば、ダウンライト等のシーリングライト以外の建築物用照明器具であってもよいし、バックライト等の建築物用照明器具以外の照明器具であってもよい。
（全体構成）
図２は、図１に示した発光ユニットを備えた照明器具の分解斜視図である。図３は、図２に示した照明器具のうち、カバーを除いた照明器具の分解斜視図である。
【００１７】
図２に示すように、照明器具１は、例えば、発光ユニット１０を含む発光部２と、発光ユニット１０に電力を供給する電源ユニットおよび保護カバー等を含む電源部８と、発光部２と電源部８を支持する本体部９ａと、発光部２を含む本体２ａの一方を覆うカバー３と、を備える。照明器具１は、例えば、本体２ａを天井側に向けた状態で、天井に取り付けられる。また、照明器具１は、商用電源用のコンセントから給電されて駆動される。
【００１８】
カバー３は、発光部２を覆うような有底円筒状に形成されている。また、カバー３は、例えば、シリコーン樹脂、アクリル樹脂、ポリカーボネート樹脂、ガラス等の透光性材料からなる。カバー３の内面には、光源である発光部２からの出射光を拡散させる拡散処理、例えば、シリカや白色顔料等による拡散処理が施されている。発光部２からの出射光は、カバー３を透過して、照明器具１の外部へ取り出される。発光部２の詳細な構成は、図３を用いて後述する。本体２ａは、円盤状にプレスされたアルミや鉄などの金属材料からなり、中央に貫通孔が設けられている。
（各部構成）
図３に示すように、照明器具１は、センターレンズ５と、センター発光ユニット６と、レンズ７と、電源部８と、本体部９ａと、発光ユニット１０等とを備える。センター発光ユニット６を中央領域の光源として設け、且つ、発光ユニット１０を中央領域以外の領域の光源として設けることで、照明器具１の輝度むらを抑制している。発光ユニット１０は、レンズ７および本体２ａに挟まれ、レンズ７の内外周に設けられた螺子穴にて、螺子により固定されている。３つの受け具８ａはカバー３を固定する。
【００１９】
センターレンズ５は、センター発光ユニット６からの出射光を拡散する。また、センターレンズ５は、例えば、アクリル樹脂、ポリカーボネート樹脂、ガラス等の透光性材料からなる。センター発光ユニット６は、円環状の基板６ａと、円周状に配置されたＬＥＤ６ｄと、を含む。
レンズ７は、発光ユニット１０からの出射光を拡散する。レンズ７による出射光の拡散方向は、例えば、列状の光源を用いた場合、当該列方向に直交する方向である。また、レンズ５は、例えば、アクリル樹脂、ポリカーボネート樹脂、ガラス等の透光性材料からなる。発光ユニット１０は、上述のように、サブユニット１３を並べてなる。
【００２０】
電源部８は、絶縁板８ｄ上に搭載された制御ブロック８ｂおよび電源ブロック８ｃと、金属からなる保護カバー８ｅ等とを備える。制御ブロック８ｂは、ケース内に制御基板が収納されて構成される。制御基板と電源ブロック８ｃとは、テープ電線により接続されている。制御ブロック８ｂは、例えば、ユーザーが操作できるリモートコントローラーから出力される点灯信号および非点灯信号を受信し、電源ブロック８ｃに制御信号を出力する。電源ブロック８ｃは、基板と基板上に実装された各種の電子部品とから構成される。また、電源ブロック８ｃは、供給された交流電流を所望の直流電流に変換する回路を備える。保護カバー８ｅは、搭載された電源ブロック８ｃおよび制御ブロック８ｂを収納する部材である。また、保護カバー８ｅの中央部には、取り付け用貫通孔が形成されている。保護カバー８ｅに形成された取り付け用貫通孔には、照明器具１を天井等に設置された配線器具に取り付けるためのアダプタ（不図示）が嵌合される。また、当該アダプタを介して照明器具１が天井等に固定される。なお、電源ブロック８ｃから引き出された電源線８ｆは、保護カバー８ｅの貫通孔および本体２ａの貫通孔４ａを介し、給電用コンセントに接続される。
【００２１】
本体部９ａは、例えば、アクリル樹脂、ポリカーボネート樹脂、ガラス等の透光性材料からなる。また、本体部９ａは、電源部８の外周面に取り付けられた発光ユニット（不図示）の保護、および当該発光ユニットの光拡散のために設けられたカバーである。
３．発光ユニットからの出射光
以下、発光ユニット１０からの出射光について、図４を用いて説明する。図４は、図１に示した発光ユニットからの出射光について説明する図である。図４（ａ）は本発明を示し、図４（ｂ）は比較例を示す。なお、上述のように、レンズ７による、出射光の主な拡散方向は、例えば、線状光源を用いた場合、基板に沿った方向では、線状光源の延びる方向に直交する方向である。また、実際には、発光ユニットは４つのサブユニットを並べてなるが、図面では２つのサブユニットを並べた部分のみ示している。
【００２２】
図４（ｂ）に示すように、発光ユニット９１０は、基板９１１と線状光源１２とを備えたサブユニット９１３をつき合わせて並べてなる。ここで、発光ユニット９１０における接続部９１０ａの中央部には、並び方向でみると、線状光源１２が位置しない領域が存在している。ここで、線状光源１２からの出射光は、出射方向側にレンズ７を設けた場合、線状光源１２の延びる方向と直交する方向である矢印Ｌ１に示す方向に拡散しやすい。一方、線状光源１２からの出射光は、出射方向側にレンズ７を設けた場合、線状光源１２の延びる方向である矢印Ｌ２に示す方向には出射しにくい。そのため、発光ユニット９１０における接続部９１０ａの中央部では、線状光源１２からの出射光が拡散されにくい。その結果、発光ユニット９１０における接続部９１０ａの中央部が暗くなってしまう。これにより、発光ユニット９１０に輝度むらが生じるおそれがある。
【００２３】
一方、図４（ａ）に示すように、発光ユニット１０における接続部１０ａでは、第１サブユニット１３ａの基板１１における突出部１１ａが、第２サブユニット１３ｂの基板１１における収納部１１ｂに収まっている。また、線状光源１２ａの一部が突出部１１ａ上に位置している。ここで、線状光源１２からの出射光は、線状光源１２の延びる方向と直交する方向である矢印Ｌ１に示す方向に拡散しやすい。一方、線状光源１２からの出射光は、線状光源１２の延びる方向である矢印Ｌ２に示す方向には出射しにくい。その結果、発光ユニット１０の接続部１０ａの中央部が暗くなってしまうことを抑制できる。これにより、発光ユニット１０に輝度むらが生じることを抑制できる。
【００２４】
このように、本発明では、第１サブユニットおよび第２サブユニットを並べてなる構成であって、輝度むらを抑制した発光ユニット１０を提供できる。
＜＜変形例＞＞
以下に、本発明に係る発光ユニットの変形例について、図５、６を用いて説明する。変形例に係る発光ユニットは、上記実施の形態に対し、基板の形状、発光素子列の数、および発光素子列の配置について異なる。なお、変形例については、両者の相違点についてのみ説明し、共通する構成については同じ符号を使って説明を省略する。図５、６は、変形例に係る発光ユニットの平面図である。
１．収納部の面積と突出部の面積とが同じである発光ユニット
図５（ａ）に示すように、発光ユニット１１０では、収納部１１１ｂの形状および面積と突出部１１１ａの形状および面積とが同じである。そのため、第１サブユニット１１３ａの基板１１１における突出部１１１ａは、第２サブユニット１１３ｂの基板１１１における収納部１１１ｂに隙間なく収まっている。この構成によって、発光ユニット１１０を製造するときに、４つのサブユニット１１３を連結する際に、並び方向と直交する方向への位置ずれを抑制できる。これは、４つのサブユニット１１３を連結する際に、発光ユニット１１０の接続部１１０ａにおいて、突出部１１１ａが収納部１１１ｂを囲む端縁に引っ掛かれば、それ以上突出部１１１ａが当該直交方向に移動しないためである。なお、この場合、配線は、例えば、基板外に貫通孔を設けて引き出せばよい。
２．長方形状発光ユニットへの応用
図５（ｂ）に示すように、発光ユニット２１０は、長方形状であってもよい。第１サブユニット２１３ａおよび第２サブユニット２１３ｂにおける基板２１１は、長方形状であって、一端縁に突出部２１１ａおよび収納部２１１ｂを有する。第１サブユニット２１３ａの基板２１１における突出部２１１ａが、第２サブユニット２１３ｂの基板２１１における収納部２１１ｂに、隙間なく収まっている。第２サブユニット２１３ａの収納部２１１ｂおよび第２サブユニット２１３ｂの突出部２１１ａに関しても同様のことがいえる。第１サブユニット２１３ａにおける第１線状光源２１２ａが、第１突出部２１１ａ上に位置している。また、第２サブユニット２１３ｂにおける第２線状光源２１２ｂが、第１突出部２１１ａ上に位置している。このように、発光ユニットの形状は、円環状に限らず、例えば、長方形状であってもよい。さらに、線状光源の本数は、２本、３本に限らず、少なくとも２本以上であればよい。
３．斜めカット型サブユニット
図６（ａ）に示すように、基板３１１の端縁は、斜めにカットされたような形状であってもよい。すなわち、第１サブユニット３１３ａの基板３１１の一端縁３１１ａは、外方へより多く連出された部位と無い方へより多く退避した部位とが連なって形成されてなる、並び方向に対して斜めな直線状の端縁である。同様に、第２サブユニット３１３ｂの基板３１１の第１サブユニット３１３ａにつき合わせられる端縁３１１ｂは、外方へより多く連出された部位と無い方へより多く退避した部位とが連なって形成されてなる、第１サブユニット３１３ａの基板３１１における一端縁３１１ａに対して平行な直線状の端縁である。第１線状光源３１２ａ、第２線状光源３１２ｂ、および第３線状光源３１３ｃは、並び方向に沿って配置されている。第１サブユニット３１１ａの第１線状光源１２ａの一端縁３１１ａ側の端部から並び方向に直交する直線を引くと、当該直線は第２サブユニット３１３ｂの一端縁３１１ｂと交点を有する。
４．突出部および収納部の位置
図６（ｂ）に示すように、第１サブユニット４１３ａは、基板４１１における一端縁の中央に１つの突出部４１１ａを有する。第２サブユニット４１３ｂは、基板４１１における第１サブユニット４１３ａにつき合わせられる一端縁の中央に１つの収納部４１１ｂを有する。この構成でも、第１サブユニット４１３ａの基板４１１における突出部４１１ａが、第２サブユニット４１３ｂの基板４１１における収納部４１１ｂに隙間なく収まっている。また第１サブユニット４１３ａにおいて、第２線状光源１２ｂが突出部４１１ａ上に位置している。また、この構成によって、発光ユニット４１０を製造するときに、４つのサブユニット４１３を連結する際に、並び方向と直交する方向への位置ずれを抑制できる。
５．その他
以上、本発明に係る照明器具の構成を、実施の形態および変形例に基づいて説明したが、本発明は上記実施の形態およびその変形例に限られない。例えば、上記実施形態およびその変形例の部分的な構成を、適宜組み合わせてなる構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
（基板の形状）
上記実施の形態等では、基板の両端縁を同じ形状としていた。しかしながら、これに限らず、基板の両端縁が異なる形状となっていてもよい。また、基板の一端縁は１つの突出部を有していたが、これに限らない。基板の一端縁は複数の突出部を有していてもよい。そして、この場合、当該基板と隣り合う基板の他端縁は、１つまたは複数の収納部を有していればよい。
（サブユニットおよび発光ユニット）
上記実施の形態等では、発光ユニットの形状を円環状または直線状とした。しかしながら、発光ユニットの形状はこれに限らず、例えば、楕円環状や折れ線状等の他の形状であってもよい。発光ユニットの形状が楕円環状である場合、例えば、各サブユニットはそれぞれ異なる形状となる場合がある。サブユニットの形状としては、長方形状の他に、例えば、多角形状などであってもよい。
（線状光源の配置）
上記実施の形態等では、第１サブユニットの基板の一端縁は、外方へより多く連出された第１部位と、内方へより多く退避した第２部位とを有する。また、第２サブユニットの基板の第１サブユニットにつき合わせられる一端縁は、第１部位に並び、且つ、第１部位の連出長に相当する長さ分、内方へ退避した第３部位と、第２部位に並び、且つ、第２部位の退避長に相当する長さ分、外方へ連出した第４部位とを有する。ここで、上記実施の形態に限らず、この構成であって、例えば、第１部位上に線状光源が配置されていても、輝度むらを抑制できる。なお、上記実施の形態等のように、第１部位上に線状光源が配置されるとともに、第４部位状に線状光源が配置されている構成では、輝度むらをさらに抑制できる。
（発光素子）
本発明に係る発光素子は、ＬＥＤに限らない。発光素子として、例えば、ＬＤ（レーザダイオード）や、ＥＬ素子（エレクトリックルミネッセンス素子）であってもよい。また、本発明に係る発光素子は、ＳＭＤ（Ｓｕｒｆａｃｅ  Ｍｏｕｎｔ  Ｄｅｖｉｃｅ）型だけでなく、ＣＯＢ（Ｃｈｉｐ  Ｏｎ  Ｂｏａｒｄ）型でも良い。
（その他）
本発明に係る照明器具は、シーリングライト、ダウンライト、バックライトなど照明用途全般に広く利用可能である。
【符号の説明】
【００２５】
１          発光器具
１０        発光ユニット
１１        基板
１１ａ      突出部
１１ｂ      収納部
１２ａ      第１線状光源
１２ｂ      第２線状光源
１２ｃ      第３線状光源
１２ｄ      ＬＥＤ
１３        サブユニット
１３ａ      第１サブユニット
１３ｂ      第２サブユニット
【図１】
2014110083.tif 000003
【図２】
2014110083.tif 000004
【図３】
2014110083.tif 000005
【図４】
2014110083.tif 000006
【図５】
2014110083.tif 000007
【図６】
2014110083.tif 000008
【図７】
2014110083.tif 000009